(57)【特許請求の範囲】
【請求項１】
支持枠（１）と、支持枠（１）上に枢軸接続する足揉み装置（２）とを含む反転移動可能な足揉みマッサージ機であって、
前記支持枠（１）は２枚の側面板（３）を含み、足揉み装置（２）は両側面板（３）の間に位置し、両側面板（３）上には長手溝（４）が設けられ、足揉み装置（２）両側の枢軸接続軸（５）上には歯車（６）が固定され、歯車（６）は転動自在で長手溝（４）内に配設されているとともに支持枠（１）上に固定されているラックギア（７）と噛み合っており、前記歯車（６）が長手溝（４）の遠端まで転動すると、足揉み装置（２）は足揉み状態に位置し、歯車（６）が長手溝（４）の近端まで転動すると、足揉み装置（２）は足置き状態に位置し、支持枠（１）と歯車（６）との間にはロック機構（８）が設けられており、歯車（６）が遠端及び近端の両位置に位置する際に支持枠（１）とロックすることができることを特徴とする反転移動可能な足揉みマッサージ機。
【請求項２】
前記歯車（６）の内側には同軸状に設置された円盤（９）が固定され、円盤（９）は長手溝（４）内に嵌入しているとともに長手溝（４）に転動嵌合しており、歯車（６）は側面板（３）の外側に位置して側面板（３）の外側面に固定されているラックギア（７）と噛み合っていることを特徴とする請求項１記載の反転移動可能な足揉みマッサージ機。
【請求項３】
前記ラックギア（７）は長手溝（４）の上部に位置し、歯車（６）の歯（１０）は半円部分だけ設けられているとともに歯車（６）の上半周に位置しており、ロック機構（８）には歯車（６）の下半周に設けられている２か所のロック溝（１１）が含まれ、側面板（３）上にはそれぞれ上向きでロック溝（１１）内に挿入される２個のロック片（１２）が設けられ、ロック片（１２）にはロック解除機構（１３）が接続しており、ロック解除機構（１３）はロック片（１２）をロック溝（１１）から退出させることができることを特徴とする請求項２記載の反転移動可能な足揉みマッサージ機。
【請求項４】
前記ロック解除機構（１３）には、側面板（３）上に固定されている取付け板（１４）が含まれ、ロック片（１２）は取付け板（１４）内側の縦方向溝（１５）内に位置し、ロック片（１２）の底部にはバネ（１６）が設けられており、バネ（１６）はロック片（１２）を常に上方向でロック溝（１１）内に挿入させており、両ロック片（１２）の間の取付け板（１４）上には十字ロック解除枠（１７）が設けられ、十字ロック解除枠（１７）とロック片（１２）との間にはそれぞれロック解除レバー（１８）が設けられ、ロック解除レバー（１８）の中間部は取付け板（１４）上にピン接続し、ロック解除レバー（１８）の外側先端はロック片（１２）内側面のロック解除溝（１９）内に嵌入し、ロック解除レバー（１８）の内側先端は十字ロック解除枠（１７）の両側端上部に載置されており、十字ロック解除枠（１７）にはスライド機構（２０）が接続しており、スライド機構（２０）が十字ロック解除枠（１７）をスライドさせると、ロック解除レバー（１８）を介してロック片（１２）をロック溝（１１）から退出させることができることを特徴とする請求項３記載の反転移動可能な足揉みマッサージ機。
【請求項５】
前記スライド機構（２０）には中間部が側面板（３）上にピン接続しているスライドレバー（２１）が含まれ、スライドレバー（２１）の一端は十字ロック解除枠（１７）底端のロック解除孔（２２）内に挿入され、スライドレバー（２１）の別の一端はスライドブロック（２３）のスライド孔（２４）内に挿入されており、側面板（３）上にはカバー板（２５）が固定され、スライドブロック（２３）はカバー板（２５）の内部空間内に保持されており、スライドブロック（２３）の底部にはバネ（２６）が設けられ、バネ（２６）はスライドブロック（２３）を上方向に支持しており、スライドブロック（２３）上には凸ブロック（２７）が設けられ、凸ブロック（２７）はカバー板（２５）上の開口部（４５）を介して露出しており、凸ブロック（２７）上には押しブロック（２８）が接触し、押しブロック（２８）はハンドル機構（４１）上に配設され、ハンドル機構（４１）が引き動かされると、押しブロック（２８）はスライドブロック（２７）を下向きに押圧することを特徴とする請求項４記載の反転移動可能な足揉みマッサージ機。
【請求項６】
前記両ロック溝（１１）の間の歯車（６）上には２か所の扇形溝（２９）が設けられ、扇形溝（２９）内には押しレバー（３０）がピン接続し、両押しレバー（３０）の間にはバネ（３１）が設けられ、取付け板（１４）外側面の上部両側には上向きに開口した扇形溝（３２）が設けられ、扇形溝（３２）内にはフォーク（３３）がピン接続し、フォーク（３３）の内側面にはロックブロック（３４）が設けられ、ロック片（１２）の外側面にはロック溝（３５）が設けられ、フォーク（３３）と扇形溝（３２）との間にはバネ（３６）が設けられ、ロック片（１２）が下降してロックが解除されると、バネ（３６）がロックブロック（３４）を押し動かせてロック溝（３５）内に嵌入させ、歯車（６）が転動すると押しレバー（３０）の先端がフォーク（３３）を外方向に押し動かせて、ロックブロック（３４）をロック溝（３５）から退出させることができることを特徴とする請求項２、３、４または５記載の反転移動可能な足揉みマッサージ機。
【請求項７】
前記側面板（３）の外部にはケーシング（３７）が設けられ、ケーシング（３７）の下部には切欠き（３８）が設けられ、ハンドル機構（４１）には切欠き（３８）箇所に設置されているハンドル（３９）が含まれ、ハンドル（３９）の上端にはピン軸（４０）が固定され、ピン軸（４０）は切欠き（３８）上部のケーシング（３７）の内壁にピン接続し、押しブロック（２８）はピン軸（４０）上に固定されていることを特徴とする請求項２、３、４または５記載の反転移動可能な足揉みマッサージ機。
【請求項８】
前記歯車（６）の外側面には蓋板（４２）が固定されていることを特徴とする請求項６記載の反転移動可能な足揉みマッサージ機。
【請求項９】
前記長手溝（４）の周縁にはライニングリング（４３）が設けられていることを特徴とする請求項１または２記載の反転移動可能な足揉みマッサージ機。
【請求項１０】
前記取付け板（１４）上の扇形溝（３２）上には蓋板（４４）が設けられており、フォーク（３３）を被覆していることを特徴とする請求項６記載の反転移動可能な足揉みマッサージ機。
【発明の詳細な説明】
【技術分野】
【０００１】
本発明は反転移動可能な足揉みマッサージ機に関するものである。
【背景技術】
【０００２】
従来からの技術において、マッサージ椅子は、人体の背部及び臀部にマッサージを施すことができるばかりではなく、人体の下肢にマッサージを施すことができる足揉み装置を備えるものとなっている（特許文献１参照）。
かかる足揉み装置は一般にマッサージ椅子の前部に配置されており、背部や臀部のマッサージを実施する利用者は、同時に脚部やふくらはぎを足揉み装置内まで伸ばしてマッサージを実施することができる。足揉み装置を足置きとして利用することができるよう、業者は足揉み装置を枢軸接続で支持枠上に配設しており、利用者が足揉みを必要としていない場合には、足揉み装置を反転させて、足揉み装置の背面を足置きとして利用可能となっている。しかし、足揉みの際、利用者の脚部やふくらはぎのすべてを足揉み装置内まで伸出しなければならないため、足揉み装置のマッサージ椅子からの距離は比較的遠くなっているが、足置きとして利用する場合、利用者がふくらはぎを足揉み装置の背面に載置しようとする際には、足揉み装置のマッサージ椅子からの距離は比較的近接していることが要求される。
【０００３】
そのため、利用者は支持枠を移動するなどして、足揉み装置をより近くに引き寄せなければ、快適に足置きとして利用することができず、使用面で煩雑である。
【特許文献１】特開２００２−２４８１５０号公報
【発明の開示】
【発明が解決しようとする課題】
【０００４】
本発明の目的は、足揉み装置が反転するとともに、足揉み装置を遠端または近端まで移動させて利用者が足揉み及び足置きという２種類の使用状態を変更する際に、支持枠を移動させなければならないという煩雑さを回避することができる反転移動可能な足揉みマッサージ機を提供することにある。
【課題を解決するための手段】
【０００５】
前記目的を達成するため、本発明においては以下の技術的手段を講じた。
本発明の技術案は次の通りである。支持枠と、支持枠上に枢軸接続する足揉み装置とを含む反転移動可能な足揉みマッサージ機であり、前記支持枠は２枚の側面板を含み、足揉み装置は両側面板の間に位置し、両側面板上には長手溝が設けられ、足揉み装置両側の枢軸接続軸上には歯車が固定され、歯車は転動自在で長手溝内に配設されているとともに支持枠上に固定されているラックギアと噛み合っており、歯車が長手溝の遠端まで転動すると、足揉み装置は足揉み状態に位置し、歯車が長手溝の近端まで転動すると、足揉み装置は足置き状態に位置し、支持枠と歯車との間にはロック機構が設けられており、歯車が遠端及び近端の両位置に位置する際に支持枠とロックすることが可能となる。
【０００６】
本発明の更なる技術案は次の通りである。支持枠と、支持枠上に枢軸接続する足揉み装置とを含む反転移動可能な足揉みマッサージ機であり、前記支持枠は２枚の側面板を含み、足揉み装置は両側面板の間に位置し、両側面板上には長手溝が設けられ、足揉み装置両側の枢軸接続軸上には歯車が固定され、歯車は転動自在で長手溝内に配設されているとともに支持枠上に固定されているラックギアと噛み合っており、歯車が長手溝の遠端まで転動すると、足揉み装置は足揉み状態に位置し、歯車が長手溝の近端まで転動すると、足揉み装置は足置き状態に位置し、支持枠と歯車との間にはロック機構が設けられており、歯車が遠端及び近端の両位置に位置する際に支持枠とロックすることが可能となる。前記歯車の内側には同軸設置の円盤が固定され、円盤は長手溝内に嵌入しているとともに長手溝と転動嵌合しており、歯車は側面板の外側に位置して側面板の外側面に固定されているラックギアと噛み合っている。前記ラックギアは長手溝の上部に位置し、歯車の歯は半円部分だけ設けられているとともに歯車の上半周に位置しており、ロック機構には歯車の下半周に設けられている２か所のロック溝が含まれ、側面板上にはそれぞれ上向きでロック溝内に挿入される２個のロック片が設けられ、ロック片にはロック解除機構が接続しており、ロック解除機構はロック片をロック溝から退出させることが可能である。
【０００７】
本発明の更に詳細な技術案は次の通りである。支持枠と、支持枠上に枢軸接続する足揉み装置とを含む反転移動可能な足揉みマッサージ機であり、前記支持枠は２枚の側面板を含み、足揉み装置は両側面板の間に位置し、両側面板上には長手溝が設けられ、足揉み装置両側の枢軸接続軸上には歯車が固定され、歯車は転動自在で長手溝内に配設されているとともに支持枠上に固定されているラックギアと噛み合っており、歯車が長手溝の遠端まで転動すると、足揉み装置は足揉み状態に位置し、歯車が長手溝の近端まで転動すると、足揉み装置は足置き状態に位置し、支持枠と歯車との間にはロック機構が設けられており、歯車が遠端及び近端の両位置に位置する際に支持枠とロックすることが可能となる。前記歯車の内側には同軸設置の円盤が固定され、円盤は長手溝内に嵌入しているとともに長手溝と転動嵌合しており、歯車は側面板の外側に位置して側面板の外側面に固定されているラックギアと噛み合っている。前記ラックギアは長手溝の上部に位置し、歯車の歯は半円部分だけ設けられているとともに歯車の上半周に位置しており、ロック機構には歯車の下半周に設けられている２か所のロック溝が含まれ、側面板上にはそれぞれ上向きでロック溝内に挿入される２個のロック片が設けられ、ロック片にはロック解除機構が接続しており、ロック解除機構はロック片をロック溝から退出させることが可能である。前記ロック解除機構には側面板上に固定されている取付け板が含まれ、ロック片は取付け板内側の縦方向溝内に位置し、ロック片の底部にはバネが設けられており、バネはロック片を常に上方向でロック溝内に挿入させており、両ロック片の間の取付け板上には十字ロック解除枠が設けられ、十字ロック解除枠とロック片との間にはそれぞれロック解除レバーが設けられ、ロック解除レバーの中間部は取付け板上にピン接続し、ロック解除レバーの外側先端はロック片内側面のロック解除溝内に嵌入し、ロック解除レバーの内側先端は十字ロック解除枠の両側端上部に載置されており、十字ロック解除枠にはスライド機構が接続しており、スライド機構が十字ロック解除枠をスライドさせると、ロック解除レバーを介してロック片をロック溝から退出させることが可能である。前記スライド機構には中間部が側面板上にピン接続しているスライドレバーが含まれ、スライドレバーの一端は十字ロック解除枠底端のロック解除孔内に挿入され、スライドレバーの別の一端はスライドブロックのスライド孔内に挿入されており、側面板上にはカバー板が固定され、スライドブロックはカバー板の内部空間内に保持されており、スライドブロックの底部にはバネが設けられ、バネはスライドブロックを上方向に支持しており、スライドブロック上には凸ブロックが設けられ、凸ブロックはカバー板上の開口部を介して露出しており、凸ブロック上には押しブロックが接触し、押しブロックはハンドル機構上に配設され、ハンドル機構が引き動かされると、押しブロックはスライドブロックを下向きに押圧する。前記両ロック溝の間の歯車上には２か所の扇形溝が設けられ、扇形溝内には押しレバーがピン接続し、両押しレバーの間にはバネが設けられ、取付け板外側面の上部両側には上向きに開口した扇形溝が設けられ、扇形溝内にはフォークがピン接続し、フォークの内側面にはロックブロックが設けられ、ロック片の外側面にはロック溝が設けられ、フォークと扇形溝との間にはバネが設けられ、ロック片が下降してロックが解除されると、バネがロックブロックを押し動かせてロック溝内に嵌入させ、歯車が転動すると押しレバーの先端がフォークを外方向に押し動かせて、ロックブロックをロック溝から退出させることが可能となる。前記側面板の外部にはケーシングが設けられ、ケーシングの下部には切欠きが設けられ、ハンドル機構には切欠き箇所に設置されているハンドルが含まれ、ハンドルの上端にはピン軸が固定され、ピン軸は切欠き上部のケーシングの内壁にピン接続し、押しブロックはピン軸上に固定されている。
【０００８】
なお、好ましくは、前記歯車の外側面には蓋板が固定されていて、前記長手溝の周縁にはライニングリングが設けられおり、前記取付け板上の扇形溝上には蓋板が設けられており、フォークを被覆しているとよい。
【発明の効果】
【０００９】
本発明の利点は下記の通りである。
１．本発明では、足揉み装置が反転するとともに、足揉み装置を遠端または近端まで移動させることにより、利用者が足揉み及び足置きという２種類の使用状態を変更する際に支持枠を移動させなければならないという煩雑さを回避することが可能である。
２．本発明では、足揉み状態及び足置き状態の際、その歯車はロック機構によりロックされ、ロック機構はロック解除機構によりロックを解除することができ、ロック解除機構はスライド機構によりスライドされてロックが解除され、スライド機構はハンドル機構により引き動かされるとともに、ロック解除時のロック機構もロック解除状態にロックされるため、確実性は非常に良好であり、利用者の使用面でも非常に便利である。
【発明を実施するための最良の形態】
【００１０】
以下、本発明の実施の形態を図面を参照して説明する。
図１、図２、図３、図４、図５、図６、図７に示されている通り、反転移動可能な足揉みマッサージ機は、支持枠１と、支持枠１上に枢軸接続する足揉み装置２とを含み、前記支持枠１は２枚の側面板３を含み、足揉み装置２は両側面板３の間に位置し、両側面板３上には長手溝４が設けられ、長手溝４の周縁にはライニングリング４３が設けられ、長手溝４上方の側面板３の外側面上にはラックギア７が固定されており、足揉み装置２両側の枢軸接続軸５上には歯車６が固定され、歯車６の内側には同軸設置の円盤９が固定され、円盤９は長手溝４内に嵌入しているとともに長手溝４と転動嵌合しており、歯車６は側面板３の外側に位置してラックギア７と噛み合っており、歯車６の歯１０は半円部分だけ設けられているとともに歯車６の上半周に位置しており、歯車６が長手溝４の遠端まで転動すると、足揉み装置２は足揉み状態に位置し、歯車６が長手溝４の近端まで転動すると、足揉み装置２は足置き状態に位置し、支持枠１と歯車６との間にはロック機構８が設けられており、歯車６が遠端及び近端の両位置に位置する際に支持枠１とロックすることが可能となる。
【００１１】
前記ロック機構８には歯車６の下半周に設けられている２か所のロック溝１１が含まれ、側面板３上にはそれぞれ上向きでロック溝１１内に挿入される2個のロック片１２（ロックタング、ロック舌）が設けられ、ロック片１２にはロック解除機構１３が接続しており、ロック解除機構１３はロック片１２をロック溝１１から退出させることが可能である。
前記ロック解除機構１３には側面板３上に固定されている取付け板１４が含まれ、ロック片１２は取付け板１４内側の縦方向溝１５内に位置し、ロック片１２の底部にはバネ１６が設けられており、バネ１６はロック片１２を常に上方向でロック溝１１内に挿入させており、両ロック片１２の間の取付け板１４上には十字ロック解除枠１７が設けられ、十字ロック解除枠１７とロック片１２との間にはそれぞれロック解除レバー１８が設けられ、ロック解除レバー１８の中間部は取付け板１４上にピン接続し、ロック解除レバー１８の外側先端はロック片１２内側面のロック解除溝１９内に嵌入し、ロック解除レバー１８の内側先端は十字ロック解除枠１７の両側端上部に載置されており、十字ロック解除枠１７にはスライド機構２０が接続しており、スライド機構２０が十字ロック解除枠１７をスライドさせると、ロック解除レバー１８を介してロック片１２をロック溝１１から退出させることが可能である。
【００１２】
前記スライド機構２０には中間部が側面板３上にピン接続しているスライドレバー２１が含まれ、スライドレバー２１の一端は十字ロック解除枠１７底端のロック解除孔２２内に挿入され、スライドレバー２１の別の一端はスライドブロック２３のスライド孔２４内に挿入されており、側面板３上にはカバー板２５が固定され、スライドブロック２３はカバー板２５の内部空間内に保持されており、スライドブロック２３の底部にはバネ２６が設けられ、バネ２６はスライドブロック２３を上方向に支持しており、スライドブロック２３上には凸ブロック２７が設けられ、凸ブロック２７はカバー板２５上の開口部４５を介して露出しており、凸ブロック２７上には押しブロック２８が接触し、押しブロック２８はハンドル機構４１上に配設され、ハンドル機構４１が引き動かされると、押しブロック２８はスライドブロック２７を下向きに押圧する。
【００１３】
前記側面板３の外部にはケーシング３７が設けられ、ケーシング３７の下部には切欠き３８が設けられ、ハンドル機構４１には切欠き３８箇所に設置されているハンドル３９が含まれ、ハンドル３９の上端にはピン軸４０が固定され、ピン軸４０は切欠き３８上部のケーシング３７の内壁にピン接続し、押しブロック２８はピン軸４０上に固定されている。
前記両ロック溝１１の間の歯車６上には２か所の扇形溝２９が設けられ、扇形溝２９内には押しレバー３０がピン接続し、両押しレバー３０の間にはバネ３１が設けられ、歯車６の外側面には蓋板４２が固定されており、取付け板１４外側面の上部両側には上向きに開口した扇形溝３２が設けられ、扇形溝３２上には蓋板４４が設けられ、扇形溝３２内にはフォーク３３がピン接続し、フォーク３３の内側面にはロックブロック３４が設けられ、ロック片１２の外側面にはロック溝３５が設けられ、フォーク３３と扇形溝３２との間にはバネ３６が設けられ、ロック片１２が下降してロックが解除されると、バネ３６がロックブロック３４を押し動かせてロック溝３５内に嵌入させ、歯車６が転動すると押しレバー３０の先端がフォーク３３を外方向に押し動かせて、ロックブロック３４をロック溝３５から退出させることが可能である。
【００１４】
図８、図９、図１０、図１１は足揉みマッサージ機の構造見取図（側面断面図）であり、足揉み状態を示している。その際、歯車６は遠端に位置しており、右側のロック片１２がバネ１６の作用下で上方向に歯車６上の左側に位置するロック溝１１内に挿入されて、歯車６を転動不能とさせている。利用者が足揉み装置２を足置き状態まで反転させようとする場合には、先ずハンドル３９を引いて、ピン軸４０上の押しブロック２８をスライドさせるとともに凸ブロック２７を下方向に押圧し、スライドブロック２３をバネ２６の弾力に抗して下降させる。スライドブロック２３が下降すると、スライドレバー２１が押し動かされ、スライドレバー２１の別の一端が十字ロック解除枠１７を上に持ち上げ、十字ロック解除枠１７の両側端がロック解除レバー１８の内側先端を持ち上げ、ロック解除レバー１８の外側先端が更にロック片１２をスライドさせて、右側のロック片１２をバネ１６の弾力を克服して下降させると、歯車６左側のロック溝１１内から退出する。ロック片１２が下降すると、取付け板１４上のフォーク３３がバネ３６に押し動かされて、フォーク３３内側面のロックブロック３４をロック片１２外側面のロック溝３５内に嵌入させ、ロック解除状態のロック片１２がロックされ、利用者がハンドル３９を緩めても、ロック片１２は動作不能となり、その際、利用者が時計回りに足揉み装置２を反転させると、足揉み装置２の反転に際して、歯車６もラックギア７の噛み合い作用下で同時に近端に向けて移動する。
【００１５】
歯車６が転動して近端に接近すると、歯車６上で右側に位置する押しレバー３０が取付け板１４上の左側のフォーク３３を押し動かせて、フォーク３３上のロックブロック３４を左側ロック片１２上のロック溝３５内から退出させ、その際、左側のロック片１２がバネ１６の作用下で上方向に歯車６上の右側に位置するロック溝１１内に挿入され、再度歯車６をロックして、足揉み装置２を足置き状態にロックする。
図１２、図１３、図１４、図１５は足置き状態の構造見取図であり、同様に、利用者がハンドル３９を引くと、ロック機構８を解除させることができるとともに、逆時計回りに足揉み装置２を反転させると、歯車６は遠端まで転動する。
【００１６】
歯車６が転動して遠端に接近すると、歯車６上で左側に位置する押しレバー３０が取付け板１４上の右側のフォーク３３を押し動かせて、フォーク３３上のロックブロック３４を右側ロック片１２上のロック溝３５内から退出させ、その際、右側のロック片１２がバネ１６の作用下で上方向に歯車６上の左側に位置するロック溝１１内に挿入され、再度、歯車６をロックして、足揉み装置２を足揉み状態にロックする。
本発明では、足揉み装置２が反転すると同時に、足揉み装置２を遠端または近端まで移動させることにより、利用者が足揉み（マッサージ）及び足置き（フットレスト）という２種類の使用状態を変更する際に支持枠１を移動させなければならないという煩雑さを回避することが可能である。
【００１７】
本発明では、足揉み状態及び足置き状態の際、その歯車６はロック機構８によりロックされ、ロック機構８はロック解除機構１３によりロックを解除することができ、ロック解除機構１３はスライド機構２０によりスライドされてロックが解除され、スライド機構２０はハンドル機構４１により引き動かされるとともに、ロック解除時のロック機構８もロック解除状態に固定されるため、確実性は非常に良好であり、利用者の使用面でも非常に便利である。
【図面の簡単な説明】
【００１８】
【図１】本発明の正面図である。
【図２】本発明の側面図である（足揉み状態）。
【図３】本発明の側面図である（足置き状態）。
【図４】本発明における組立て斜視図である。
【図５】図４の局部拡大図である。
【図６】図４の局部拡大図である。
【図７】歯車の斜視図である。
【図８】本発明の側面断面図である（足揉み状態）。
【図９】本発明の側面断面図である（足揉み状態）。
【図１０】本発明の側面断面図である（足揉み状態）。
【図１１】本発明の側面断面図である（足揉み状態）。
【図１２】本発明の側面断面図である（足置き状態）。
【図１３】本発明の側面断面図である（足置き状態）。
【図１４】本発明の側面断面図である（足置き状態）。
【図１５】本発明の側面断面図である（足置き状態）。
【符号の説明】
【００１９】
１      支持枠
２      足揉み装置
３      側面板
４      長手溝
５      枢軸接続軸
６      歯車
７      ラックギア
８      ロック機構
９      円盤
１０    歯
１１    ロック溝
１２    ロック片
１３    ロック解除機構
１４    取付け板
１５    縦方向溝
１６    バネ
１７    十字ロック解除枠
１８    ロック解除レバー
１９    ロック解除溝
２０    スライド機構
２１    スライドレバー
２２    ロック解除孔
２３    スライドブロック
２４    スライド孔
２５    カバー板
２６    バネ
２７    凸ブロック
２８    押しブロック
２９    扇形溝
３０    押しレバー
３１    バネ
３２    扇形溝
３３    フォーク
３４    ロックブロック
３５    ロック溝
３６    バネ
３７    ケーシング
３８    切欠き
３９    ハンドル
４０    ピン軸
４１    ハンドル機構
４２    蓋板
４３    ライニングリング
４４    蓋板
４５    開口部
【図１】
0004680138.tif 000002
【図２】
0004680138.tif 000003
【図３】
0004680138.tif 000004
【図４】
0004680138.tif 000005
【図５】
0004680138.tif 000006
【図６】
0004680138.tif 000007
【図７】
0004680138.tif 000008
【図８】
0004680138.tif 000009
【図９】
0004680138.tif 000010
【図１０】
0004680138.tif 000011
【図１１】
0004680138.tif 000012
【図１２】
0004680138.tif 000013
【図１３】
0004680138.tif 000014
【図１４】
0004680138.tif 000015
【図１５】
0004680138.tif 000016